(57)【要約】【課題】ソフトウェア処理の負荷を軽減しながらフレーム周波数の変化による表示の切り替えをスムーズに行うことができる画像処理装置等を提供する。【解決手段】映像信号ＶＩＤＥＯｏに対応した垂直同期信号ＶＳＹＮＣｏを生成する映像処理装置１００は、映像信号ＶＩＤＥＯｉに対応した垂直同期信号ＶＳＹＮＣｉの検出期間内に垂直同期信号ＶＳＹＮＣｉを検出する垂直同期信号検出回路１４０と、垂直同期信号検出回路１４０によって上記の検出期間内に垂直同期信号ＶＳＹＮＣｉが検出されたとき、垂直同期信号ＶＳＹＮＣｉに対応して垂直同期信号ＶＳＹＮＣｏを出力する垂直同期信号出力回路１５０とを含む。【選択図】図３
2012037594.tif 000002
【特許請求の範囲】
【請求項１】
出力画像信号に対応した出力垂直同期信号を生成する画像処理装置であって、
入力画像信号に対応した第１の垂直同期信号の検出期間が設定される検出期間設定部と、
前記検出期間設定部において設定された前記検出期間内に前記第１の垂直同期信号を検出する垂直同期信号検出部と、
前記垂直同期信号検出部によって前記検出期間内に前記第１の垂直同期信号が検出されたとき、前記第１の垂直同期信号に対応して前記出力垂直同期信号を出力する垂直同期信号出力部とを含むことを特徴とする画像処理装置。
【請求項２】
請求項１において、
前記垂直同期信号検出部は、
前記垂直同期信号検出部により前記検出期間内に前記第１の垂直同期信号が検出されないとき、中央演算処理装置に対して割り込み出力を行うことを特徴とする画像処理装置。
【請求項３】
請求項１において、
前記第１の垂直同期信号とは非同期の第２の垂直同期信号を生成する垂直同期信号生成部を含み、
前記垂直同期信号出力部は、
前記垂直同期信号検出部により前記検出期間内に前記第１の垂直同期信号が検出されないとき、前記第２の垂直同期信号に対応して前記出力垂直同期信号を出力することを特徴とする画像処理装置。
【請求項４】
請求項３において、
前記垂直同期信号出力部は、
前記検出期間の終了タイミングに同期して、前記第２の垂直同期信号に対応して前記出力垂直同期信号を出力することを特徴とする画像処理装置。
【請求項５】
請求項１乃至４のいずれかにおいて、
フレームバッファーを含み、
前記第１の垂直同期信号に同期して前記入力画像信号が前記フレームバッファーに書き込まれ、
前記出力垂直同期信号に同期して、前記フレームバッファーに書き込まれた前記入力画像信号が前記出力画像信号として読み出されることを特徴とする画像処理装置。
【請求項６】
請求項５において、
水平同期信号を生成する水平同期信号生成部を含み、
前記水平同期信号生成部により生成された前記水平同期信号に同期して、前記フレームバッファーに書き込まれた前記入力画像信号が前記出力画像信号として読み出されることを特徴とする画像処理装置。
【請求項７】
請求項６において、
前記検出期間設定部は、
前記検出期間の開始タイミングに対応した設定値及び前記検出期間の終了タイミングに対応した設定値が設定される１又は複数の設定レジスターと、
前記水平同期信号に同期してカウント値を更新し、且つ、前記出力垂直同期信号に基づいて前記カウント値が初期化されるカウンターと、
前記設定レジスターの設定値と前記カウンターのカウント値とを比較する比較器とを含み、
前記垂直同期信号出力部は、
前記垂直同期信号検出部の検出結果に応じて、前記第１の垂直同期信号又は前記第２の垂直同期信号に対応して前記出力垂直同期信号を出力することを特徴とする画像処理装置。
【請求項８】
請求項１乃至７のいずれか記載の画像処理装置と、
前記画像処理装置から供給された前記出力垂直同期信号に基づいて画像を表示する画像表示部とを含むことを特徴とする画像表示装置。
【請求項９】
出力画像信号に対応した出力垂直同期信号を生成する画像処理方法であって、
入力画像信号に対応した第１の垂直同期信号の検出期間が設定される検出期間設定ステップと、
前記検出期間設定ステップにおいて設定された前記検出期間内に前記第１の垂直同期信号を検出する垂直同期信号検出ステップと、
前記垂直同期信号検出ステップにおいて前記検出期間内に前記第１の垂直同期信号が検出されたとき、前記第１の垂直同期信号に対応して前記出力垂直同期信号を出力する垂直同期信号出力ステップとを含むことを特徴とする画像処理方法。
【請求項１０】
請求項９において、
前記第１の垂直同期信号とは非同期の第２の垂直同期信号を生成する垂直同期信号生成ステップを含み、
前記垂直同期信号出力ステップは、
前記垂直同期信号検出ステップにおいて前記検出期間内に前記第１の垂直同期信号が検出されないとき、前記第２の垂直同期信号に対応して前記出力垂直同期信号を出力することを特徴とする画像処理方法。
【発明の詳細な説明】
【技術分野】
【０００１】
本発明は、画像処理装置、画像表示装置及び画像処理方法等に関する。
【背景技術】
【０００２】
近年、液晶プロジェクター等の映像表示装置（画像表示装置）は、パーソナルコンピューター（Personal Computer：ＰＣ）やＤＶＤ（Digital Versatile Disc）プレーヤー等の多様な映像供給装置（画像供給装置）から供給される映像を表示することが求められる。これらの映像供給装置は、種々のフレーム周波数の映像を供給するため、映像表示装置は、６０ヘルツ等の表示のフレーム周波数を映像供給装置からの入力映像のフレーム周波数に一致させるフレームロック機能を有することがある。フレームロック状態では、図１２に示すように入力の垂直同期信号の周波数が所定範囲内で変動した場合でも出力の垂直同期信号を一定の周波数で出力させることで、動画が滑らかに変化するように表示される。一方、ＰＣからの高フレームレート表示、表示切り替えや映像再生の早送りや巻き戻し等の要因によって、映像表示装置に入力される映像のフレーム周波数が変化するケースも多くなっている。この場合、フレームロックを維持しようとすると、却って表示がおかしくなったり、表示デバイス自体に信頼性を低下させるダメージを与えたりすることも考えられる。そのため、映像表示装置は、フレームロックを適宜解除し、表示デバイスの表示可能なフレーム周波数で表示する機能を持つことが望ましい。
【０００３】
このようなフレームロック機能については、例えば特許文献１に開示されている。特許文献１には、入力信号と出力信号を同期させるフレームロック機能を有すると共に画角変換を行うスケーラーや、スケーラーの後段側に設けられるデジタル信号処理ＩＣを備えた映像信号処理回路が開示されている。このスケーラーには、水平同期信号及び垂直同期信号を計測するカウンターが内蔵されており、その周波数を計測することができる。そして、フレームロックをすべきか否かの監視結果に応じて入力の垂直同期信号の周波数を計測し、その計測結果を用いて出力の水平同期信号の周波数を演算している。
【先行技術文献】
【特許文献】
【０００４】
【特許文献１】特開２００７−２７１６６５号公報
【発明の概要】
【発明が解決しようとする課題】
【０００５】
しかしながら、映像表示装置においてフレームロックすべきか、フレームロックを解除すべきかの判定の際、計測回路及びソフトウェア処理により、入力のフレーム周波数を計測する必要があった。また、フレームロックかフレームロックの解除の切り替え自体をソフトウェア処理で行っていたため、フレームロックを解除する場合、この解除制御が遅れることに起因して映像表示が乱れるという問題があった。更にまた、周囲の環境によっては、垂直同期信号や水平同期信号は、ノイズ等で誤って検出されることも考えられるため、垂直同期信号等が正しい同期信号であるか否かを解析する必要がある。このような処理をソフトウェア処理で実現しようとすると、パフォーマンスが低下するという弊害があった。
【０００６】
本発明は、以上のような技術的課題に鑑みてなされたものである。本発明の幾つかの態様によれば、ソフトウェア処理の負荷を軽減しながらフレーム周波数の変化による表示の切り替えをスムーズに行うことができる画像処理装置、画像表示装置及び画像処理方法等を提供することができる。
【課題を解決するための手段】
【０００７】
（１）本発明の一態様は、出力画像信号に対応した出力垂直同期信号を生成する画像処理装置が、入力画像信号に対応した第１の垂直同期信号の検出期間が設定される検出期間設定部と、前記検出期間設定部において設定された前記検出期間内に前記第１の垂直同期信号を検出する垂直同期信号検出部と、前記垂直同期信号検出部によって前記検出期間内に前記第１の垂直同期信号が検出されたとき、前記第１の垂直同期信号に対応して前記出力垂直同期信号を出力する垂直同期信号出力部とを含む。
【０００８】
本態様においては、入力画像信号に対応した第１の垂直同期信号の検出期間を設定可能とし、該検出期間内のみで第１の垂直同期信号を検出するようにしている。そして、検出期間内で検出された第１の垂直同期信号を出力画像信号に対応した出力垂直同期信号として出力する。これにより、ノイズ等の混入による不正な垂直同期信号の入力があったときに入力画像信号をソフトウェア処理で解析する必要がなくなるため、ソフトウェア処理を介さずに不正な垂直同期信号の入力を除去できるようになる。しかも、ハードウェアで第１の垂直同期信号の周波数の変化を検出できるため、この周波数の変化による表示の切り替わりをスムーズに行うことができるようになる。従って、多様なフレーム周波数の入力画像信号に対して、ソフトウェア処理の負荷をかけることなく、表示の切り替わりをスムーズに行うことが可能な映像処理装置を提供できるようになる。
【０００９】
（２）本発明の他の態様に係る画像処理装置では、前記垂直同期信号検出部は、前記垂直同期信号検出部により前記検出期間内に前記第１の垂直同期信号が検出されないとき、中央演算処理装置に対して割り込み出力を行う。
本態様によれば、中央演算処理装置に対して、割り込み出力により検出期間内における第１の垂直同期信号が検出されなかったことを通知するようにしたので、第１の垂直同期信号の検出を中央演算処理装置におけるソフトウェア処理で行う必要がなくなる。
【００１０】
（３）本発明の他の態様に係る画像処理装置では、前記第１の垂直同期信号とは非同期の第２の垂直同期信号を生成する垂直同期信号生成部を含み、前記垂直同期信号出力部は、前記垂直同期信号検出部により前記検出期間内に前記第１の垂直同期信号が検出されないとき、前記第２の垂直同期信号に対応して前記出力垂直同期信号を出力する。
本態様によれば、第１の垂直同期信号の周波数が一定範囲にあるときのみ、第１の画像信号と出力垂直同期信号とを同期させることができる。その上、本態様によれば、第１の垂直同期信号の周波数が一定範囲を超えて変化したときは第２の垂直同期信号に対応して出力垂直同期信号を出力できるようになる。これにより、上記の効果に加えて、第１の垂直同期信号の周波数が一定範囲を超えて変化した場合でも、垂直同期信号の周波数の変化による表示の切り替えをスムーズに行うことができるようになる。
【００１１】
（４）本発明の他の態様に係る画像処理装置では、前記垂直同期信号出力部は、前記検出期間の終了タイミングに同期して、前記第２の垂直同期信号に対応して前記出力垂直同期信号を出力する。
本態様においては、検出期間の終了タイミングに同期して第２の垂直同期信号を出力同期信号として出力するようにしている。こうすることで、ソフトウェア処理を介在させることなく、その後に一定周期で第１の垂直同期信号が入力される場合に、検出期間内で第１の垂直同期信号が検出されるフレームロックの状態に自動的に移行させることが可能となる。
【００１２】
（５）本発明の他の態様に係る画像処理装置は、フレームバッファーを含み、前記第１の垂直同期信号に同期して前記入力画像信号が前記フレームバッファーに書き込まれ、前記出力垂直同期信号に同期して、前記フレームバッファーに書き込まれた前記入力画像信号が前記出力画像信号として読み出される。
本態様によれば、フレームバッファーを備えるようにしたので、入力画像信号に対応した水平同期信号を監視する必要がなくなる。これにより、ソフトウェア処理の負荷の軽減を図り、ハードウェア構成を簡素化できるようになる。
【００１３】
（６）本発明の他の態様に係る画像処理装置は、水平同期信号を生成する水平同期信号生成部を含み、前記水平同期信号生成部により生成された前記水平同期信号に同期して、前記フレームバッファーに書き込まれた前記入力画像信号が前記出力画像信号として読み出される。
本態様によれば、フレームバッファーを備えることで、入力画像信号に対応した水平同期信号にかかわらず、出力用の水平同期信号を生成することができるようになる。この結果、入力される水平同期信号を監視することなく、出力のフレーム周波数に応じた水平同期信号を生成し、該水平同期信号に同期して画像信号を読み出す構成を採用できる。このため、ソフトウェア処理の負荷の軽減を図り、ハードウェア構成を簡素化できるようになる。
【００１４】
（７）本発明の他の態様に係る画像処理装置では、前記検出期間設定部は、前記検出期間の開始タイミングに対応した設定値及び前記検出期間の終了タイミングに対応した設定値が設定される１又は複数の設定レジスターと、前記水平同期信号に同期してカウント値を更新し、且つ、前記出力垂直同期信号に基づいて前記カウント値が初期化されるカウンターと、前記設定レジスターの設定値と前記カウンターのカウント値とを比較する比較器とを含み、前記垂直同期信号出力部は、前記垂直同期信号検出部の検出結果に応じて、前記第１の垂直同期信号又は前記第２の垂直同期信号に対応して前記出力垂直同期信号を出力する。
本態様によれば、カウンターと比較器とによる小規模なハードウェア構成で、任意に設定可能な検出期間でのみ第１の垂直同期信号を検出することができる。そして、本態様によれば、ソフトウェア処理の負荷を軽減しながらフレーム周波数の変化による表示の切り替えをスムーズに行うことができる画像処理装置を提供できるようになる。
【００１５】
（８）本発明の他の態様は、画像表示装置が、上記のいずれか記載の画像処理装置と、前記画像処理装置から供給された前記出力垂直同期信号に基づいて画像を表示する画像表示部とを含む。
【００１６】
本態様によれば、ソフトウェア処理の負荷を軽減しながらフレーム周波数の変化による表示の切り替えをスムーズに行うことができる画像表示装置を提供できるようになる。
【００１７】
（９）本発明の他の態様は、出力画像信号に対応した出力垂直同期信号を生成する画像処理方法が、入力画像信号に対応した第１の垂直同期信号の検出期間が設定される検出期間設定ステップと、前記検出期間設定ステップにおいて設定された前記検出期間内に前記第１の垂直同期信号を検出する垂直同期信号検出ステップと、前記垂直同期信号検出ステップにおいて前記検出期間内に前記第１の垂直同期信号が検出されたとき、前記第１の垂直同期信号に対応して前記出力垂直同期信号を出力する垂直同期信号出力ステップとを含む。
【００１８】
本態様においては、入力画像信号に対応した第１の垂直同期信号の検出期間を設定可能とし、該検出期間内のみの第１の垂直同期信号を検出するようにしている。そして、検出期間内で検出された第１の垂直同期信号を出力画像信号に対応した出力垂直同期信号として出力する。これにより、ノイズ等の混入による不正な垂直同期信号の入力があったときに入力画像信号をソフトウェア処理で解析する必要がなくなるため、ソフトウェア処理を介さずに不正な垂直同期信号の入力を除去できるようになる。しかも、第１の垂直同期信号の周波数の変化による表示の切り替わりをスムーズに行うことができるようになる。また、多様なフレーム周波数の入力画像信号に対して、ソフトウェア処理の負荷をかけることなく、表示の切り替わりをスムーズに行うことが可能な映像処理方法を提供できるようになる。
【００１９】
（１０）本発明の他の態様に係る画像処理方法は、前記第１の垂直同期信号とは非同期の第２の垂直同期信号を生成する垂直同期信号生成ステップを含み、前記垂直同期信号出力ステップは、前記垂直同期信号検出ステップにおいて前記検出期間内に前記第１の垂直同期信号が検出されないとき、前記第２の垂直同期信号に対応して前記出力垂直同期信号を出力する。
本態様によれば、第１の垂直同期信号の周波数が一定範囲にあるときのみ、第１の画像信号と出力垂直同期信号とを同期させることができる。その上、本態様によれば、第１の垂直同期信号の周波数が一定範囲を超えて変化したときは第２の垂直同期信号に対応して出力垂直同期信号を出力できるようになる。これにより、上記の効果に加えて、第１の垂直同期信号の周波数が一定範囲を超えて変化した場合でも、垂直同期信号の周波数の変化による表示の切り替えをスムーズに行うことができるようになる。
【図面の簡単な説明】
【００２０】
【図１】第１の実施形態における表示システムの構成例のブロック図。
【図２】図１の映像処理装置のハードウェア構成例を示す図。
【図３】図２のフレーム周波数変換回路のハードウェア構成例を示す図。
【図４】割り込み信号が入力されるプロセッサーの処理例のフロー図。
【図５】第１実施形態におけるフレーム周波数変換回路の動作例のタイミング図。
【図６】フリーランで出力される垂直同期信号の説明図。
【図７】第２実施形態における映像処理装置のハードウェア構成例を示す図。
【図８】図７のフレーム周波数変換回路のハードウェア構成例を示す図。
【図９】フリーラン用垂直同期信号生成回路の動作説明図。
【図１０】第２実施形態におけるフレームロック状態の説明図。
【図１１】第２実施形態におけるフレームロック解除状態の説明図。
【図１２】フレームロックの説明図。
【発明を実施するための形態】
【００２１】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の課題を解決するために必須の構成要件であるとは限らない。
なお、以下では、画像表示装置として液晶プロジェクターを例に説明するが、本発明に係る画像表示装置は液晶プロジェクターに限定されるものではない。
【００２２】
〔第１実施形態〕
図１に、本発明に係る第１の実施形態における表示システムの構成例のブロック図を示す。図１では、表示システムを構成する液晶プロジェクターの構成を簡略化して図示している。
表示システム１０は、映像供給装置（画像供給装置）２０と、映像表示装置（画像表示装置）としての液晶プロジェクター３０と、スクリーン２００とを含む。映像供給装置２０は、所与のフレーム周波数（例えば１フレーム表示期間が１／６０秒、１／５０秒、１／７２秒等）の映像信号（画像信号）を供給し、各フレームの映像信号、該映像信号に対応した垂直同期信号及び水平同期信号を生成する。映像供給装置２０からの映像信号、垂直同期信号及び水平同期信号は、液晶プロジェクター３０に入力される。このような映像供給装置２０の機能は、ＰＣやＤＶＤプレーヤー等によって実現される。なお、液晶プロジェクター３０に入力される映像信号等は、図示しないコンピューターで読取可能な記憶媒体から読み出されたものであってもよい。このコンピューターで読取可能な記憶媒体は、ＲＯＭ、ＲＡＭ、ＣＤ−ＲＯＭ、ＤＶＤ、ＦＤ、ＭＤ、メモリーカード等のいずれでもよい。
【００２３】
液晶プロジェクター３０は、光変調手段として液晶ライトバルブを採用したプロジェクターである。この液晶プロジェクター３０は、映像処理装置（画像処理装置）１００と、液晶ライトバルブ駆動回路３２、液晶ライトバルブ（光変調手段）３４と、投写レンズ３６と、光源部４０とを含む。光源部４０は、ランプ４２と、レンズ４４とを含む。この液晶プロジェクター３０は、映像供給装置２０からの映像信号に基づいて、映像（画像）をスクリーン２００に表示する。映像処理装置１００は、表示のフレーム周波数を映像供給装置２０からの映像信号のフレーム周波数に一致させるフレームロック制御を行う。このとき、映像処理装置１００は、垂直同期信号検出期間を設け、この垂直同期信号検出期間内に映像供給装置２０からの垂直同期信号をハードウェアで検出することで、ソフトウェア処理の負荷を軽減しながらフレームロック制御を行う。映像処理装置１００においてフレームロック制御後の垂直同期信号及び水平同期信号は、映像信号と共に液晶ライトバルブ駆動回路３２に入力される。
【００２４】
液晶ライトバルブ駆動回路３２は、液晶ライトバルブ３４を駆動する回路である。液晶ライトバルブ３４は、液晶ライトバルブ駆動回路３２で生成された信号を映像化する光変調素子である。具体的には、液晶ライトバルブ３４は、光源部４０から射出される光を、液晶ライトバルブ駆動回路３２で生成された信号に基づいて変調して投写に必要な光をスクリーン２００側へ向けて射出する。光源部４０は、画像を投写するための光源であり、主に、ランプ４２が発する光をレンズ４４により平行光とする。この平行光は、液晶ライトバルブ３４で変調された後、投写レンズ３６に入射する。投写レンズ３６は、光源部４０から射出され、液晶ライトバルブ３４で変調された光をスクリーン２００に拡大して表示させる。このスクリーン２００は、液晶プロジェクター３０から投写される投写像を表示する投写面を有している。液晶ライトバルブ駆動回路３２、液晶ライトバルブ３４、投射レンズ３６及び光源部４０が、本発明における画像表示部を構成する。この画像表示部は、後述する映像処理装置１００から供給された表示用の垂直同期信号ＶＳＹＮＣｏに基づいて画像を表示する。
【００２５】
図２に、図１の映像処理装置１００のハードウェア構成例を示す。図２では、図１の映像供給装置２０及び液晶ライトバルブ駆動回路３２をあわせて図示している。
映像処理装置１００は、フレーム周波数変換回路１１０と、フレームバッファー１９０とを含む。フレーム周波数変換回路１１０は、映像供給装置２０から供給された映像信号ＶＩＤＥＯｉ（入力画像信号）に対応した垂直同期信号ＶＳＹＮＣｉ（第１の垂直同期信号）の周波数に応じて、表示用の垂直同期信号ＶＳＹＮＣｏ（出力垂直同期信号）の周波数を変換する。フレームバッファー１９０には、映像供給装置２０から供給された映像信号ＶＩＤＥＯｉが、映像信号ＶＩＤＥＯｉに対応した垂直同期信号ＶＳＹＮＣｉ及び水平同期信号ＨＳＹＮＣｉに同期して書き込まれる。また、フレームバッファー１９０からは表示用の垂直同期信号ＶＳＹＮＣｏ及び水平同期信号ＨＳＹＮＣｏに同期して映像信号が読み出され、表示用の映像信号ＶＩＤＥＯｏ（出力画像信号）として液晶ライトバルブ駆動回路３２に対して出力される。なお、表示用の水平同期信号ＨＳＹＮＣｏは、水平同期信号ＨＳＹＮＣｉとは非同期でフレーム周波数変換回路１１０において生成される。
【００２６】
フレーム周波数変換回路１１０は、書込制御信号生成回路１１２、読出制御信号生成回路１１４、計測回路１１６、水平同期信号生成回路１２０、垂直同期信号切替回路１３０を含む。書込制御信号生成回路１１２は、映像供給装置２０からの映像信号ＶＩＤＥＯｉをフレームバッファー１９０に書き込むための書込制御信号を生成する。書込制御信号生成回路１１２は、映像供給装置２０からの垂直同期信号ＶＳＹＮＣｉ及び水平同期信号ＨＳＹＮＣｉに同期した書込制御信号を生成する。読出制御信号生成回路１１４は、フレームバッファー１９０に書き込まれた映像信号を表示用の映像信号ＶＩＤＥＯｏとして出力するための読出制御信号を生成する。読出制御信号生成回路１１４は、表示用の垂直同期信号ＶＳＹＮＣｏ及び水平同期信号ＨＳＹＮＣｏに同期した読出制御信号を生成する。
【００２７】
計測回路１１６は、映像供給装置２０からの垂直同期信号ＶＳＹＮＣｉ及び水平同期信号ＨＳＹＮＣｉに基づいて、映像供給装置２０から供給された映像信号等を計測する。液晶プロジェクター３０は、プロセッサー（広義には、中央演算処理装置）３００を備えており、計測回路１１６の計測結果を取得したプロセッサー３００が、映像のフレーム周波数を演算する。このプロセッサー３００は、映像処理装置１００に内蔵されていてもよい。
【００２８】
水平同期信号生成回路１２０は、プロセッサー３００がアクセス可能な設定レジスターを有し、該設定レジスターの設定値に対応した周波数を有する表示用の水平同期信号ＨＳＹＮＣｏを生成する。水平同期信号生成回路１２０は、映像供給装置２０からの水平同期信号ＨＳＹＮＣｉとは非同期の水平同期信号ＨＳＹＮＣｏを生成することができる。水平同期信号ＨＳＹＮＣｏは、垂直同期信号切替回路１３０及び読出制御信号生成回路１１４に入力される。
【００２９】
垂直同期信号切替回路１３０は、プロセッサー３００により設定可能な垂直同期信号検出期間内における映像供給装置２０からの垂直同期信号ＶＳＹＮＣｉの入力の有無を検出する。そして、垂直同期信号検出期間内に垂直同期信号ＶＳＹＮＣｉの入力があったときのみ、垂直同期信号切替回路１３０は、垂直同期信号ＶＳＹＮＣｉをそのまま垂直同期信号ＶＳＹＮＣｏとして出力する。一方、垂直同期信号検出期間内に垂直同期信号ＶＳＹＮＣｉの入力がなかったとき、垂直同期信号切替回路１３０は、プロセッサー３００に対して割り込み信号を出力する。プロセッサー３００は、この割り込み信号に基づく割り込み処理において、入力映像のフレーム周波数の計測や垂直同期信号検出期間の変更等のソフトウェア処理を行い、フレーム周波数の変化に対応した処理を行う。
【００３０】
図３に、図２の垂直同期信号切替回路１３０のハードウェア構成例を示す。
垂直同期信号切替回路１３０は、カウンター１３２、開始タイミング設定レジスター１３４、終了タイミング設定レジスター１３６、比較器１３８、垂直同期信号検出回路（垂直同期信号検出部）１４０、垂直同期信号出力回路（垂直同期信号出力部）１５０を含む。開始タイミング設定レジスター１３４及び終了タイミング設定レジスター１３６は、垂直同期信号検出期間設定レジスター（広義には、設定レジスター）を構成し、それぞれプロセッサー３００によりアクセス可能に構成される。
【００３１】
カウンター１３２は、水平同期信号生成回路１２０によって生成された水平同期信号ＨＳＹＮＣｏに同期してカウント値を更新する。このカウント値は、表示用の垂直同期信号ＶＳＹＮＣｏに同期して初期化される。従って、垂直同期信号ＶＳＹＮＣｏが、次の垂直同期信号検出期間の基準タイミングとなる。開始タイミング設定レジスター１３４には、垂直同期信号検出期間の開始タイミングに対応した設定値（α）がプロセッサー３００により設定される。この設定値αは、ロック可能最小値ということができる。終了タイミング設定レジスター１３６には、垂直同期信号検出期間の終了タイミングに対応した設定値（β）がプロセッサー３００により設定される。この設定値βは、ロック可能最大値ということができる。比較器１３８は、カウンター１３２のカウント値と、開始タイミング設定レジスター１３４及び終了タイミング設定レジスター１３６の各設定値とを比較し、カウント値が設定値α以上、且つ、設定値β以下であるか否かを検出する。この比較器１３８の比較結果は、垂直同期信号検出期間であるか否かに対応している。具体的には、カウント値が開始タイミング設定値αと終了タイミング設定値βとの間にある期間が、垂直同期信号検出期間となる。なお、比較器１３８においてカウント値が設定値βとなったことが検出されたとき、カウンター１３２のカウント値は初期化されるようになっている。これらのカウンター１３２、開始タイミング設定レジスター１３４、終了タイミング設定レジスター１３６及び比較器１３８により、垂直同期信号検出期間が設定される検出期間設定部の機能を実現することができる。なお、開始タイミング設定レジスター１３４及び終了タイミング設定レジスター１３６の機能を１つの設定レジスターで実現してもよい。
【００３２】
垂直同期信号検出回路１４０には、比較器１３８の比較結果及び映像供給装置２０からの垂直同期信号ＶＳＹＮＣｉが入力される。垂直同期信号検出回路１４０は、比較器１３８の比較結果により垂直同期信号検出期間内に垂直同期信号ＶＳＹＮＣｉの入力の有無を検出する。垂直同期信号検出期間内に垂直同期信号ＶＳＹＮＣｉの入力がないことが検出されたとき、垂直同期信号検出回路１４０は、プロセッサー３００に割り込み信号を出力する（割り込み出力を行う）。一方、垂直同期信号検出期間内に垂直同期信号ＶＳＹＮＣｉの入力があったことが検出されたとき、垂直同期信号検出回路１４０は、垂直同期信号出力回路１５０に検出結果を通知する。垂直同期信号出力回路１５０は、垂直同期信号検出回路１４０において垂直同期信号検出期間内に垂直同期信号ＶＳＹＮＣｉの入力があったことが検出されたとき、垂直同期信号ＶＳＹＮＣｉを垂直同期信号ＶＳＹＮＣｏとして出力する。この垂直同期信号ＶＳＹＮＣｏは、垂直同期信号ＶＳＹＮＣｉをそのまま出力してもよいし、垂直同期信号ＶＳＹＮＣｉに基づいて生成されていてもよいが、垂直同期信号ＶＳＹＮＣｏと垂直同期信号ＶＳＹＮＣｉとのスキューができるだけ小さいことが望ましい。こうすることで、垂直同期信号出力回路１５０は、垂直同期信号ＶＳＹＮＣｉに対応して垂直同期信号ＶＳＹＮＣｏ出力することができる。
【００３３】
図４に、割り込み信号が入力されるプロセッサー３００の処理例のフロー図を示す。液晶プロジェクター３０又は映像処理装置１００は、プロセッサー３００の他に図示しない読み出し専用メモリー（Read Only Memory：以下、ＲＯＭ）又はランダムアクセスメモリー（Random Access Memory：以下、ＲＡＭ）を備えている。そして、ＲＯＭ又はＲＡＭに格納されたプログラムを読み込んだプロセッサー３００が、該プログラムに対応した処理を実行することで以下の各ステップに対応した処理を実行する。
【００３４】
プロセッサー３００は、垂直同期信号検出回路１４０からの割り込み信号を監視している（ステップＳ１０、リターン）。プロセッサー３００は、この割り込み信号が入力されたとき（アクティブになったとき）（ステップＳ１０：Ｙ）、垂直同期信号切替回路１３０からの割り込みが発生し、フレームロックが外れたと判断する（ステップＳ１２）。その後、プロセッサー３００は、計測回路１１６が計測している垂直同期信号ＶＳＹＮＣｉ及び水平同期信号ＨＳＹＮＣｉの周波数を取得し、映像供給装置２０からの映像のフレーム周波数を求めることで、映像信号を測定する（ステップＳ１４）。ステップＳ１４の測定の結果、映像信号が変化していないと判別されるとき（ステップＳ１６：Ｎ）、ステップＳ１０に戻る（リターン）。一方、ステップＳ１４の測定の結果、映像信号が変化していると判別されるとき（ステップＳ１６：Ｙ）、プロセッサー３００は、変化後の映像信号に対応した設定処理を行い（ステップＳ１８）、ステップＳ１０に戻る（リターン）。プロセッサー３００は、ステップＳ１８において、例えば変化後の映像信号のフレーム周波数に対応した垂直同期信号検出期間の再設定や、水平同期信号の周波数の再設定等を行うことができる。
【００３５】
図５に、第１実施形態におけるフレーム周波数変換回路１１０の動作例のタイミング図を示す。図５は、映像供給装置２０からの垂直同期信号ＶＳＹＮＣｉ、水平同期信号生成回路１２０により生成された水平同期信号ＨＳＹＮＣｏ、カウンター１３２のカウント値、及び割り込み信号の変化の一例を表す。
垂直同期信号ＶＳＹＮＣｉが垂直同期信号ＶＳＹＮＣｏとして出力されると、カウンター１３２のカウント値が「０」に初期化され、その後、水平同期信号ＨＳＹＮＣｏに同期してカウント値がインクリメントされる。このカウント値が開始タイミング設定値「α」と一致すると、垂直同期信号検出期間Ｔ１が開始される。この垂直同期信号検出期間Ｔ１は、水平同期信号ＨＳＹＮＣｏに同期してインクリメントされるカウント値が「β」となると終了する。図５では、この垂直同期信号検出期間Ｔ１内に垂直同期信号ＶＳＹＮＣｉの入力があり、この垂直同期信号ＶＳＹＮＣｉがそのまま垂直同期信号ＶＳＹＮＣｏとして出力される。そのため、カウンター１３２のカウント値は、垂直同期信号ＶＳＹＮＣｉの入力タイミングで初期化されており、その後の水平同期信号ＨＳＹＮＣｏに同期してインクリメントされていく。
【００３６】
ここで、次の垂直同期信号検出期間Ｔ２内に、垂直同期信号ＶＳＹＮＣｉの入力がなかったとき、垂直同期信号検出回路１４０は、割り込み信号Ｋ１をプロセッサー３００に出力する。また、カウント値が「β」となったカウンター１３２は、カウント値を初期化して、それ以降水平同期信号ＨＳＹＮＣｏに同期してインクリメントされていく。割り込み信号Ｋ１が入力されたプロセッサー３００は、図４に示すような処理を行い、その結果、フレーム周波数変換回路１１０における垂直同期信号検出期間が変更されたりする。そして、次の垂直同期信号検出期間Ｔ３内に、垂直同期信号ＶＳＹＮＣｉの入力があり、この垂直同期信号ＶＳＹＮＣｉがそのまま垂直同期信号ＶＳＹＮＣｏとして出力される。
【００３７】
以上説明したように、第１実施形態では、映像処理装置１００は、カウンターと比較器とによる小規模なハードウェア構成で、任意に設定可能な垂直同期信号検出期間でのみ垂直同期信号を検出するようにしている。これにより、ノイズ等の混入による不正な垂直同期信号の入力を、ソフトウェア処理を介さずに除去でき、入力信号（周波数）の変化による表示の切り替わりをスムーズに行い、かつ、ソフトウェア処理の負荷を軽くすることが可能となる。また、映像供給装置２０が多様なフレーム周波数の映像を供給する場合でも、ソフトウェア処理の負荷をかけることなく、表示の切り替わりをスムーズに行うことが可能な映像処理装置を提供できるようになる。更に、映像処理装置１００は、フレームバッファー１９０を備えるため、映像供給装置２０からの水平同期信号を監視する必要がなく、内部で表示用の水平同期信号を生成することができ、ハードウェア構成を簡素化できるようになる。
【００３８】
〔第２実施形態〕
第１実施形態では、小規模なハードウェア構成で垂直同期信号検出期間内の垂直同期信号を検出するものとして説明したが、本発明はこれに限定されるものではない。本発明に係る第２実施形態では、第１実施形態と同様に垂直同期信号を検出する一方、フレームロックが外れたと判断されたときには、垂直同期信号をフリーランで出力する。
【００３９】
図６に、フリーランで出力される垂直同期信号の説明図を示す。図６は、映像供給装置２０からの垂直同期信号ＶＳＹＮＣｉ、水平同期信号生成回路１２０によって生成される水平同期信号ＨＳＹＮＣｏ、フリーランで出力される垂直同期信号ＶＳＹＮＣｆのタイミングの一例を表す。
垂直同期信号ＶＳＹＮＣｆ（第２の垂直同期信号）は、垂直同期信号ＶＳＹＮＣｉの入力の有無やその周波数にかかわらず生成される。そのため、垂直同期信号ＶＳＹＮＣｉの周波数が変化した場合であっても、垂直同期信号ＶＳＹＮＣｆの周波数は一定である。従って、フリーランで垂直同期信号ＶＳＹＮＣｆを出力する場合、この垂直同期信号ＶＳＹＮＣｆに同期させて映像信号を出力すればよい。
【００４０】
図７に、第２実施形態における映像処理装置のハードウェア構成例を示す。図７において、図２と同様の部分には同一符号を付し、適宜説明を省略する。第２実施形態における映像処理装置１００ａは、図１の映像処理装置１００に代えて液晶プロジェクター３０及び表示システム１０に適用することができる。
映像処理装置１００ａが映像処理装置１００と異なる点は、フレーム周波数変換回路の構成である。フレーム周波数変換回路１１０に代えて映像処理装置１００ａに設けられるフレーム周波数変換回路１１０ａは、垂直同期信号切替回路１３０に代えて垂直同期信号切替回路１３０ａを備えている。また、フレーム周波数変換回路１１０ａは、フレーム周波数変換回路１１０の構成に対して計測回路１１６を省略した構成とすることができる。
【００４１】
即ち、フレーム周波数変換回路１１０ａは、書込制御信号生成回路１１２、読出制御信号生成回路１１４、水平同期信号生成回路１２０、垂直同期信号切替回路１３０ａを含む。ここで、垂直同期信号切替回路１３０ａは、フリーラン用垂直同期信号生成回路４００を備えている。垂直同期信号切替回路１３０ａは、第１実施形態と同様の垂直同期信号検出期間内に映像供給装置２０から垂直同期信号ＶＳＹＮＣｉがあったとき垂直同期信号ＶＳＹＮＣｉを垂直同期信号ＶＳＹＮＣｏとしてそのまま出力する。一方、垂直同期信号切替回路１３０ａは、この垂直同期信号検出期間内に映像供給装置２０から垂直同期信号ＶＳＹＮＣｉがなかったとき、フリーラン用垂直同期信号生成回路４００によって生成された垂直同期信号を垂直同期信号ＶＳＹＮＣｏとして出力する。これにより、フレームロックが外れた場合でも、表示の切り替わりをスムーズに行うことができるようになる。
【００４２】
図８に、図７の垂直同期信号切替回路１３０ａのハードウェア構成例を示す。図８において、図３又は図７と同様の部分には同一符号を付し、適宜説明を省略する。
垂直同期信号切替回路１３０ａは、カウンター１３２、開始タイミング設定レジスター１３４、終了タイミング設定レジスター１３６、比較器１３８、垂直同期信号検出回路（垂直同期信号検出部）１４０ａ、垂直同期信号出力回路（垂直同期信号出力部）１５０ａを含む。垂直同期信号切替回路１３０ａは、更に、フリーラン用垂直同期信号生成回路４００を含む。カウンター１３２は、水平同期信号生成回路１２０によって生成された水平同期信号ＨＳＹＮＣｏに同期してカウント値を更新する。このカウント値は、表示用の垂直同期信号ＶＳＹＮＣｏに同期して初期化される。開始タイミング設定レジスター１３４には、垂直同期信号検出期間の開始タイミングに対応した設定値（α）がプロセッサー３００により設定される。終了タイミング設定レジスター１３６には、垂直同期信号検出期間の終了タイミングに対応した設定値（β）がプロセッサー３００により設定される。比較器１３８は、カウンター１３２のカウント値と、開始タイミング設定レジスター１３４及び終了タイミング設定レジスター１３６の各設定値とを比較し、カウント値が設定値α以上、且つ、設定値β以下であるか否かを検出する。この比較器１３８の比較結果は、垂直同期信号検出期間であるか否かに対応している。なお、比較器１３８においてカウント値が設定値βとなったことが検出されたとき、カウンター１３２のカウント値は初期化されるようになっている。
【００４３】
垂直同期信号検出回路１４０ａには、比較器１３８の比較結果及び映像供給装置２０からの垂直同期信号ＶＳＹＮＣｉが入力される。垂直同期信号検出回路１４０ａは、比較器１３８の比較結果により垂直同期信号検出期間内に垂直同期信号ＶＳＹＮＣｉの入力の有無を検出する。垂直同期信号検出回路１４０ａの検出結果に対応する信号は、垂直同期信号出力回路１５０ａに入力される。垂直同期信号出力回路１５０ａは、垂直同期信号検出回路１４０ａの検出結果に応じて、垂直同期信号ＶＳＹＮＣｉ又は垂直同期信号ＶＳＹＮＣｆを垂直同期信号ＶＳＹＮＣｏとして出力する。即ち、垂直同期信号出力回路１５０ａは、垂直同期信号検出回路１４０ａの検出結果に応じて、垂直同期信号ＶＳＹＮＣｉ又は垂直同期信号ＶＳＹＮＣｆに対応して垂直同期信号ＶＳＹＮＣｏを出力することができる。より具体的には、垂直同期信号出力回路１５０ａは、垂直同期信号検出期間内に垂直同期信号ＶＳＹＮＣｉがあったとき、垂直同期信号ＶＳＹＮＣｉに対応して垂直同期信号ＶＳＹＮＣｏを出力する。また、垂直同期信号出力回路１５０ａは、垂直同期信号検出期間内に垂直同期信号ＶＳＹＮＣｉがなかったとき、フリーラン用垂直同期信号生成回路４００によって生成された垂直同期信号ＶＳＹＮＣｆに対応して垂直同期信号ＶＳＹＮＣｏを出力する。
【００４４】
フリーラン用垂直同期信号生成回路４００は、プロセッサー３００によりアクセス可能なフリーラン周波数設定レジスター（図示せず）を有し、フリーラン周波数設定レジスターの設定値に対応した周波数の垂直同期信号ＶＳＹＮＣｆを生成する。フリーラン用垂直同期信号生成回路４００は、次の図９に示すようなタイミングで垂直同期信号ＶＳＹＮＣｆを生成することが望ましい。
【００４５】
図９に、フリーラン用垂直同期信号生成回路４００の動作説明図を示す。図９は、カウンター１３２のカウント値と垂直同期信号ＶＳＹＮＣｆの変化例のタイミング図を表す。
上記のようにカウンター１３２は、水平同期信号ＨＳＹＮＣｏに同期してカウント値を更新する。そして、カウント値が開始タイミング設定値αと終了タイミング設定値βとの間にある期間が、垂直同期信号検出期間となる。フリーラン用垂直同期信号生成回路４００は、カウンター１３２のカウント値が終了タイミング設定値βとなっとき、垂直同期信号ＶＳＹＮＣｆのパルスを発生させる。このようにフリーラン用垂直同期信号生成回路４００は、映像供給装置２０からの垂直同期信号ＶＳＹＮＣｉとは非同期の垂直同期信号ＶＳＹＮＣｆを生成することができる。このとき、フリーラン用垂直同期信号生成回路４００は、垂直同期信号検出期間の終了タイミングに同期して垂直同期信号ＶＳＹＮＣｆを生成する。
【００４６】
ここで、垂直同期信号ＶＳＹＮＣｆは、垂直同期信号ＶＳＹＮＣｉの本来の入力タイミングに対して遅れることになる。これは、フリーランで垂直同期信号ＶＳＹＮＣｆにより規定される１フレーム期間Ｆ０が、垂直同期信号ＶＳＹＮＣｉにより規定される１フレーム期間Ｆ１より長くなることを意味する。ところが、１フレーム期間Ｆ１が１フレーム期間Ｆ０より短くなるため、その後、元の一定の周期で垂直同期信号ＶＳＹＮＣｉが入力され続ける場合、垂直同期信号検出期間内で垂直同期信号ＶＳＹＮＣｉが検出されるようになり、フレームロックの状態となる。
【００４７】
図１０に、第２実施形態におけるフレームロック状態の説明図を示す。図１０は、映像供給装置２０からの垂直同期信号ＶＳＹＮＣｉ、水平同期信号生成回路１２０によって生成された水平同期信号ＨＳＹＮＣｏ、カウンター１３２のカウント値、及び垂直同期信号ＶＳＹＮＣｏの変化例のタイミング図を表す。
垂直同期信号ＶＳＹＮＣｉが垂直同期信号ＶＳＹＮＣｏとして出力されると、カウンター１３２のカウント値が「０」に初期化され、その後、水平同期信号ＨＳＹＮＣｏに同期してカウント値がインクリメントされる。このカウント値が開始タイミング設定値「α」と一致すると、垂直同期信号検出期間Ｔ１０が開始される。この垂直同期信号検出期間Ｔ１０は、水平同期信号ＨＳＹＮＣｏに同期してインクリメントされるカウント値が「β」となると終了する。図１０では、この垂直同期信号検出期間Ｔ１０内に垂直同期信号ＶＳＹＮＣｉの入力があり、この垂直同期信号ＶＳＹＮＣｉがそのまま垂直同期信号ＶＳＹＮＣｏとして出力される。そのため、カウンター１３２のカウント値は、垂直同期信号ＶＳＹＮＣｉの入力タイミングで初期化されており、その後の水平同期信号ＨＳＹＮＣｏに同期してインクリメントされていく。
【００４８】
次の垂直同期信号検出期間Ｔ１１は、垂直同期信号検出期間Ｔ１０において出力された垂直同期信号ＶＳＹＮＣｏを基準に開始される。図１０では、垂直同期信号検出期間Ｔ１１内に、垂直同期信号ＶＳＹＮＣｉの入力がないため、カウンター１３２のカウント値が「β」になったときに生成された垂直同期信号ＶＳＹＮＣｆが垂直同期信号ＶＳＹＮＣｏとして出力される。即ち、垂直同期信号検出期間Ｔ１１の終了タイミングに同期して垂直同期信号ＶＳＹＮＣｆが垂直同期信号ＶＳＹＮＣｏとして出力される。このとき、カウンター１３２のカウント値も「０」に初期化される。更に次の垂直同期信号検出期間は、垂直同期信号ＶＳＹＮＣｆが垂直同期信号ＶＳＹＮＣｏとして出力された出力タイミングを基準に開始されることになる。
【００４９】
なお、第２の実施形態において、プロセッサー３００によりアクセス可能な設定レジスターの設定値に応じて、垂直同期信号検出回路１４０ａの検出動作を停止して、常時、垂直同期信号ＶＳＹＮＣｆを垂直同期信号ＶＳＹＮＣｏとして一定周期で出力してもよい。即ち、映像処理装置１００は、プロセッサー３００によりフレームロック解除状態に設定される。こうすることで、映像供給装置２０からの垂直同期信号ＶＳＹＮＣｉの入力にかかわらず、フリーラン用垂直同期信号生成回路４００によって生成された垂直同期信号ＶＳＹＮＣｆをそのまま出力できる。
【００５０】
図１１に、第２実施形態におけるフレームロック解除状態の説明図を示す。図１１は、映像供給装置２０からの垂直同期信号ＶＳＹＮＣｉ、水平同期信号生成回路１２０によって生成された水平同期信号ＨＳＹＮＣｏ、カウンター１３２のカウント値、及び垂直同期信号ＶＳＹＮＣｏの変化例のタイミング図を表す。
垂直同期信号ＶＳＹＮＣｉが垂直同期信号ＶＳＹＮＣｏとして出力すると、カウンター１３２のカウント値が「０」に初期化され、その後、水平同期信号ＨＳＹＮＣｏに同期してカウント値がインクリメントされる。このカウント値が開始タイミング設定値「α」と一致すると、垂直同期信号検出期間Ｔ１２が開始される。この垂直同期信号検出期間Ｔ１２は、水平同期信号ＨＳＹＮＣｏに同期してインクリメントされるカウント値が「β」となると終了する。図１１では、この垂直同期信号検出期間Ｔ１２内に垂直同期信号ＶＳＹＮＣｉの入力があるものの、カウント値が「β」となったときに生成される垂直同期信号ＶＳＹＮＣｆがそのまま垂直同期信号ＶＳＹＮＣｏとして出力される。次の垂直同期信号検出期間Ｔ１３においても、図１１では、垂直同期信号ＶＳＹＮＣｉの入力があるが、カウンター１３２のカウント値が「β」になったときに生成された垂直同期信号ＶＳＹＮＣｆが垂直同期信号ＶＳＹＮＣｏとして出力される。これにより、映像供給装置２０において生成される映像に応じて、常にフリーラン用で垂直同期信号を出力できるようになる。
【００５１】
以上説明したように、第２実施形態においては、入力される映像のフレーム周波数が一定範囲にあるときのみ、自動的に入力側の同期信号と出力側の同期信号とが互いに同期するようになる。また、第２実施形態においては、入力される映像のフレーム周波数が一定範囲を超えて変化したときは、自動的にフリーランで映像を表示させることができる。このように第２実施形態によれば、カウンターと比較器による小規模の回路構成で、ノイズ等の混入による不正な垂直同期信号の入力を、ソフトウェア処理を介さずに除去できる上に、フレームロックのオンオフ制御を自動で行うことができる。その結果、入力される映像信号（周波数）の変化による表示の切り替わりをスムーズに行い、且つ、ソフトウェア処理の負荷を軽くすることが可能となる。
【００５２】
また、映像供給装置２０が多様なフレーム周波数の映像を供給する場合でも、ソフトウェア処理の負荷をかけることなく、表示の切り替わりをスムーズに行うことが可能な映像処理装置を提供できるようになる。更に、フレームロックが外れた場合にソフトウェアを介して映像供給装置２０からの映像信号等の計測を行う必要がなくなる。更にまた、映像処理装置１００は、フレームバッファー１９０を備えるため、映像供給装置２０からの水平同期信号を監視する必要がなく、内部で表示用の水平同期信号を生成することができ、ハードウェア構成を簡素化できるようになる。
【００５３】
なお、本発明は上記の各実施形態に限られるものではなく、その要旨を逸脱しない範囲において種々の態様において実施することが可能であり、例えば次のような変形も可能である。
【００５４】
（１）上記の各実施形態では、動画を含む映像を表示する例について説明したが、本発明はこれに限定されるものではない。例えば映像処理回路が、静止画のみの画像信号に対して、上記の各実施形態と同様の処理を行うことができる。
【００５５】
（２）上記の各実施形態では、映像供給装置が液晶プロジェクターと独立して設けられる例について説明したが、本発明はこれに限定されるものではない。例えば液晶プロジェクターが映像供給装置を内蔵するように構成されていてもよい。
【００５６】
（３）上記の各実施形態では、画像表示装置として液晶プロジェクターを例に説明したが、本発明はこれに限定されるものではない。本発明に係る画像表示装置が有する光変調手段として、液晶ライトバルブに限定されるものではなく、例えば、ＤＭＤ（Digital Micromirror Device）を用いることができる。また、本発明に係る画像表示装置として、プラズマディスプレイや有機ＥＬ（Electro Luminescence）ディスプレイ等の直視型の画像表示装置であってもよい。
【００５７】
（４）なお、本発明は、種々の態様で実現することが可能である。例えば、本発明に係る画像処理方法や画像表示方法を実現するためのコンピュータープログラム、そのコンピュータープログラムを記録した記録媒体等の形態で実現することができる。
【符号の説明】
【００５８】
１０…表示システム、  ２０…映像供給装置、  ３０…液晶プロジェクター、
３２…液晶ライトバルブ駆動回路、  ３４…液晶ライトバルブ、  ３６…投写レンズ、
４０…光源部、  ４２…ランプ、  ４４…レンズ、  １００，１００ａ…映像処理装置、
１１０，１１０ａ…フレーム周波数変換回路、  １１２…書込制御信号生成回路、
１１４…読出制御信号生成回路、  １１６…計測回路、
１２０…水平同期信号生成回路、  １３０，１３０ａ…垂直同期信号切替回路、
１３２…カウンター、  １３４…開始タイミング設定レジスター、
１３６…終了タイミング設定レジスター、  １３８…比較器、
１４０，１４０ａ…垂直同期信号検出回路（垂直同期信号検出部）、
１５０，１５０ａ…垂直同期信号出力回路（垂直同期信号出力部）、
１９０…フレームバッファー、  ２００…スクリーン、  ３００…プロセッサー、
４００…フリーラン用垂直同期信号生成回路、
ＶＩＤＥＯｉ，ＶＩＤＥＯｏ…映像信号、
ＨＳＹＮＣｆ，ＨＳＹＮＣｉ，ＨＳＹＮＣｏ…水平同期信号、
ＶＳＹＮＣｉ，ＶＳＹＮＣｏ…垂直同期信号
【図１】
2012037594.tif 000003
【図２】
2012037594.tif 000004
【図３】
2012037594.tif 000005
【図４】
2012037594.tif 000006
【図５】
2012037594.tif 000007
【図６】
2012037594.tif 000008
【図７】
2012037594.tif 000009
【図８】
2012037594.tif 000010
【図９】
2012037594.tif 000011
【図１０】
2012037594.tif 000012
【図１１】
2012037594.tif 000013
【図１２】
2012037594.tif 000014